(57)【要約】【課題】ケーブルの接続作業が容易で電気接続安定性に優れたケーブル接続用のコネクタの提供を目的とする。【解決手段】ケーブル接続用のコネクタであって、ケーブルの芯線と電気接続するためのターミナル端子と、前記芯線を前記ターミナル端子に向けて付勢するための弾性部材とを有し、前記弾性部材は芯線の側部に付勢係止するための係止部を有するとともに、前記係止部を芯線の側部に係止した係止状態と当該係止を開放した開放状態に切り換えるための切り換え部材を有することを特徴とする。【選択図】  図１
2016201262.tif 000002
【特許請求の範囲】
【請求項１】
ケーブル接続用のコネクタであって、
ケーブルの芯線と電気接続するためのターミナル端子と、前記芯線を前記ターミナル端子に向けて付勢するための弾性部材とを有し、
前記弾性部材は芯線の側部に付勢係止するための係止部を有するとともに、前記係止部を芯線の側部に係止した係止状態と当該係止を開放した開放状態に切り換えるための切り換え部材を有することを特徴とするコネクタ。
【請求項２】
前記切り換え部材は、前記コネクタのハウジングに設けられた回動自在のレバー部材又は、スライド自在に設けられたスライド部材であり、
前記レバー部材又はスライド部材は、前記係止部が開放状態になるように前記弾性部材を押圧するための押圧突部を有することを特徴とする請求項１記載のコネクタ。
【請求項３】
前記弾性部材は前記係止部とその他に、ケーブルの芯線の側部から前記ターミナル端子に向けて押圧するように弾性接続するための弾性接触部を有することを特徴とする請求項１又は２記載のコネクタ。
【請求項４】
前記ハウジングは、ケーブルの芯線の係止状態を確認できる確認窓部を有することを特徴とする請求項２又は３記載のコネクタ。
【請求項５】
前記ハウジングは複数のハウジング同士を連結可能になっていることを特徴とする請求項２〜４のいずれかに記載のコネクタ。
【発明の詳細な説明】
【技術分野】
【０００１】
本発明は、ケーブルを接続するためのコネクタに関する。
【背景技術】
【０００２】
電源ケーブル等のケーブルを電気接続する分野において、例えばソーラーシステム等のパワーコンディショナーの場合に従来は、ケーブルの芯線に丸形端子を圧着した後に、端子台側にネジ等にて固定する方法が採用されているが、現場での結線作業が大変であった。
特許文献１には、ケーブルの芯線を挿入し、挟持部とくさび部の２ヶ所で接続する端子台が開示されているが、くさび部の復帰力が弱いと接続安定性に欠け、復帰力が強すぎると芯線の挿入作業が困難となる問題があった。
そこで、本出願人は先にケーブルの芯線を挿入するだけで接続でき、接続信頼性の高いソケット端子構造を提案している（特許文献２）。
本出願人は、接続信頼性の高い先の接続構造を含まえ、さらに接続作業が容易になるように検討した結果、本発明に至った。
【先行技術文献】
【特許文献】
【０００３】
【特許文献１】特開平９−２４５８６２号公報
【特許文献２】特願２０１４−２２８９６９号
【発明の概要】
【発明が解決しようとする課題】
【０００４】
本発明は、ケーブルの接続作業が容易で電気接続安定性に優れたケーブル接続用のコネクタの提供を目的とする。
【課題を解決するための手段】
【０００５】
本発明は、ケーブル接続用のコネクタであって、ケーブルの芯線と電気接続するためのターミナル端子と、前記芯線を前記ターミナル端子に向けて付勢するための弾性部材とを有し、前記弾性部材は芯線の側部に付勢係止するための係止部を有するとともに、前記係止部を芯線の側部に係止した係止状態と当該係止を開放した開放状態に切り換えるための切り換え部材を有することを特徴とする。
このようにすると、ターミナル端子と弾性部材に設けた係止部との間にケーブルの芯線を挿入すると、この係止部が芯線の側部から対向するターミナル端子に向けて押圧付勢するように、この芯線を挟持することになるが、本発明は切り換え部材にて係止部の付勢力を開放した状態にし、係止部とターミナル端子との間に芯線を挿入できるので挿入が容易であり、その芯線を挿入した状態にて切り換え部材により、係止部を係止状態に切り換えるだけで結線が可能になる。
【０００６】
本発明において、芯線の係止状態と開放状態とを相互に切り換えることができれば、その手段、構造に制限がない。
例えば、ターミナル端子と弾性部材を収容するのに用いた樹脂製のハウジングを利用し、切り換え部材は、前記コネクタのハウジングに設けられた回動自在のレバー部材又は、スライド自在に設けられたスライド部材であり、前記レバー部材又はスライド部材は、前記係止部が開放状態になるように前記弾性部材を押圧するための押圧突部を有するようにしてもよい。
このように切り換え部材として回動自在のレバー部材やスライド自在のスライド部材を採用すると、弾性部材の復元力に対抗して、このレバー部材又はスライド部材に設けた押圧突部が、この弾性部材を押圧する方向に回動又はスライドし、係止部が開放状態に切り換わり、逆に押圧突部を弾性部材から退避する方向に回動又はスライドすることで係止部が芯部の側部を係止する係止状態に切り換わる。
【０００７】
本発明において、弾性部材は前記係止部とその他に、ケーブルの芯線の側部から前記ターミナル端子に向けて押圧するように弾性接続するための弾性接触部を有するようにしてもよい。
このようにすると、弾性部材の係止部と弾性接触部の２ヶ所にてターミナル端子との間に芯線を挟持するように結線されるので、さらに電気接続安定性に優れる。
【０００８】
本発明において、ハウジングは、ケーブルの芯線の係止状態を確認できる確認窓部を有するようにしてもよい。
このようにすると外部から結線確認が容易にできる。
【０００９】
本発明は、ハウジングに収容するターミナル端子の数に制限がない。
さらに、前記ハウジングは複数のハウジング同士を連結可能になっていると、極数に合せてコネクタの調整が可能になり端子台としても使用できる。
【発明の効果】
【００１０】
本発明は、ターミナル端子と弾性部材との間にケーブルの芯線を挿入接続する際に弾性部材に設けた係止部が係止状態と開放状態とに切り換え可能にしたので結線作業が容易であり、且つ、係止部の付勢力を強く設定することも可能であり、電気接続信頼性が高い。
【図面の簡単な説明】
【００１１】
【図１】本発明に係るケーブル接続用のコネクタにケーブルの芯線を結線する手順を示す。（ａ）、（ｂ）は切り換え部材を引き出し、係止部を開放した状態。（ｃ）、（ｄ）は切り換え部材を押し込み係止部を芯線に係止させた状態を示す。
【図２】（ａ）は本発明に係るコネクタの外観斜視図。（ｂ）は主要部品の構成例を示す。
【図３】ターミナル端子、弾性部材及び切り換え部材との相対的な位置関係を示す。（ａ）は係止部の開放状態、（ｂ）はケーブルの挿入方向を示す。
【図４】（ａ）はケーブルの芯線を係止部とターミナル端子との間に挿入した状態、（ｂ）は結線した状態を示す。
【図５】本発明に係るコネクタの背面斜視図を示し、（ａ）は下方斜めから見た図、（ｂ）は上方斜めから見た図を示す。（ｃ）はハウジングの連結ロック部の拡大図を示し、（ｄ）は切り換え部材の後端部の爪部の拡大図を示す。
【図６】本発明に係るコネクタを複数連結する手順を（ａ）〜（ｃ）に示す。
【発明を実施するための形態】
【００１２】
本発明に係るケーブル接続用のコネクタ１００の構造例を以下、図面に基づいて説明するが、本発明はこれに限定されない。
【００１３】
図２にコネクタの外観図、及び主要部品の構成例を示し、図３，４にターミナル端子２０、弾性部材３０及び切り換え部材４０の位置関係を示す。
図１にコネクタのハウジング１０の内部と、ケーブル１の結線手順を示す。
樹脂製のハウジング１０は側壁内側から水平方向の一対のリブ１２ａ，１２ｂを突設し、それにより形成された溝部１２を有する。
この溝部１２は、ハウジング１０の対向する側壁に一対形成され、溝部１２にターミナル端子２０の幅方向両側の片部２４ａ〜２４ｃを挿入し、収容されている。
ターミナル端子２０は、各種機器側の部品等と接続するためのものであり、形状等に制限はない。
本発明に係るコネクタを、このターミナル端子に電源ケーブル等を接続する例として説明する。
ターミナル端子２０は、銅合金等で製作されケーブル１の芯線１ａに対して下側から接触する第１接続部２１と、この芯線１ａの側部から接触する第２接続部２２とを形成するように、第１接続部２１と第２接続部２２とが直角になるように折り曲げ形成した例になっている。
また、第２接続部２２の芯線１ａと接触しない裏側の面には略コ字形状のリブ２３を形成し、その内側に設けた装着部２３ａに温度フューズ（図示省略）を取り付けることができる例になっている。
【００１４】
弾性部材３０はバネ材等で製作され、ターミナル端子２０の裏面と密着するように重なり、幅方向両端部がターミナル端子２０の片部２４ａ〜２４ｃとともにハウジング１０の溝部１２に収容される基部３１と、この基部３１から裏側（下側）に折り返した折り返し部３３を基部と一体的に有する。
折り返し部３３の先端側はさらにへ字状に下方向に折り曲げて側面視で湾曲した被押圧部３３ａを形成し、その先端側を上方に折り返すことで芯線１ａとの係止部３２を形成した例となっている。
本実施例では、係止部３２にケーブル１の芯線１ａが挿入される開口部３２ｂを形成し、芯線１ａの側部上方から係止するための係止片部３２ａを門構え状に形成した例になっている。
本発明においては、弾性復帰する係止部を有し、この付勢方向に対抗して、付勢力を開放できる切り換え部材を有すればよく、本実施に限定されない。
開口部３２ｂには、ターミナル端子２０の端部付近も位置し、ターミナル端子２０と係止片部３２ａで芯線１ａを挟持するようになっている。
本実施例では、弾性部材３０の幅方向端部から曲面で弾性接触する弾性接触部３４を設け、この弾性接触部３４とターミナル端子２０の第２接続部２２との間でも芯線１ａを弾性挟持するようになっている。
また、この弾性接触部３４はたわみやすいように、図３，４に示すように基部３１から支持部３５を折り曲げ立設し、この支持部３５の側端部から芯線１ａの挿入方向に曲げ部３５ａを形成し、その先に弾性接触部３４を形成した例になっている。
【００１５】
本実施例は、切り換え部材４０としてスライド型のスライド部材を採用した例であり、ハウジング１０はケーブル１の挿入孔１５とともに切り換え部材（スライド部材）４０をスライド支持するためのスライド溝部１３を有する。
切り換え部材４０は樹脂製でハウジング１０のスライド溝部１３に沿って引き出し、又は押し込み操作する操作部４２と弾性部材３０の被押圧部３３ａを下側から押し上げるための押圧突部４１を有する。
押圧突部４１は湾曲状の被押圧部３３ａが摺接する斜面部４１ｂと、押圧保持するための突起部４１ａを有する。
切り換え部材４０を引き出した状態では切り換え部材４０に設けた係止爪４３がハウジング１０に設けた当接部１４ａに当接し、引き出し方向が規制され、切り換え部材４０を押し込むと、切り換え部材４０に設けた段差部４４がハウジング１０側の当接部１４ｂに当接し、押し込み方向が規制されるとともに図５（ｄ）に示すように切り換え部材４０に設けた位置決め爪部４５がハウジング１０に設けた規制部１８に弾性当接し、切り換え部材４０が不本意に引き出されないようになっている。
なお、切り換え部材４０としては、ハウジング１０に回動自在に軸着又は枢着されたレバー型のレバー部材を設けてもよく、その場合にはレバーが回動し弾性部材３０の被押圧部を押圧する押圧突部を有することになる。
【００１６】
次に図１に基づいて、ケーブルの結線操作手順を説明する。
（ａ）に示すように切り換え部材４０の操作部４２を摘まみ、引き出すと、押圧突部４１が斜面部４１ｂに沿って弾性部材３０の被押圧部３３ａを押し上げ、係止部３２が上方に移動し、係止片部３２ａが開放状態になる。
この状態で（ｂ）に示すようにケーブル１を挿入すると、芯線ａは係止片部３２ａに接触しないので、挿入が容易である。
なお、弾性接触部３４は接触面が曲面状になっているので、挿入に大きな力はいらない。
次に切り換え部材４０を押し込むと、（ｄ）に示すように弾性部材３０から押圧突部４１が離れ、弾性復帰により係止部３２が下降し、係止片部３２ａが芯線１ａの側部に係止する。
ハウジング１０には確認窓部１１が形成され、芯線１ａの結線状態が外部から目視で確認できるようになっている。
【００１７】
本実施例では、図５に示すようにハウジング１０の一方の側端部にレール溝部１６を形成し、他方の側端部に突条レール１７を形成することで、図６に示すように複数のコネクタを連結することができる。
連結状態は、一方の連結爪１６ａが連結する他方のハウジング１０の係合部１７ａに係合し、ロックされる。
その状態を図５（ｃ）に示す。
【符号の説明】
【００１８】
１        ケーブル
１ａ      芯線
１０      ハウジング
１１      確認窓部
１３      スライド溝部
２０      ターミナル端子
２１      第１接続部
２２      第２接続部
３０      弾性部材
３１      基部
３２      係止部
３２ａ    係止片部
３３      折り返し部
３３ａ    被押圧部
３４      弾性接触部
４０      切り換え部材
４１      押圧突部
４２      操作部
１００    ケーブル接続用のコネクタ
【図１】
2016201262.tif 000003
【図２】
2016201262.tif 000004
【図３】
2016201262.tif 000005
【図４】
2016201262.tif 000006
【図５】
2016201262.tif 000007
【図６】
2016201262.tif 000008